(57)【要約】【課題】より簡易な仕組みで、利用客の所有する携帯端末から選曲や店舗内サービスの注文を行うことを可能とする。【解決手段】利用客が所有する携帯端末からネットワークを介して接続可能な楽曲配信システムに含まれる選曲注文装置が、前記利用客が楽曲の配信を受ける店舗で店舗内サービスを提供する店舗サーバから、該店舗サーバへ接続するための接続用情報を受信して記憶し、前記携帯端末から配信を受ける楽曲の選曲要求があったならば選曲のための処理を行う一方で、前記携帯端末から店舗内サービスの注文要求があったならば前記記憶している接続用情報を用いて前記注文要求を前記店舗サーバに転送する。【選択図】図４
2018005601.tif 000002
【特許請求の範囲】
【請求項１】
利用客が所有する携帯端末からネットワークを介して接続可能な楽曲配信システムに含まれる選曲注文装置であって、
前記利用客が楽曲の配信を受ける店舗で店舗内サービスを提供する店舗サーバから、該店舗サーバへ接続するための接続用情報を受信して記憶し、
前記携帯端末から配信を受ける楽曲の選曲要求があったならば選曲のための処理を行う一方で、前記携帯端末から店舗内サービスの注文要求があったならば前記記憶している接続用情報を用いて前記注文要求を前記店舗サーバに転送することを特徴とする選曲注文装置。
【請求項２】
前記店舗サーバから、該店舗サーバへ接続するための接続用情報を受信した場合に、前記店舗サーバに対して一時ＩＤを返信するとともに記憶し、
前記携帯端末からの前記選曲要求に含まれる一時ＩＤが前記店舗サーバに対して送信した一時ＩＤと合致しない場合には前記選曲のための処理は行わず、
前記携帯端末からの前記注文要求に含まれる一時ＩＤが前記店舗サーバに対して送信した一時ＩＤと合致しない場合には前記転送を行わない、
ことを特徴とする請求項１に記載の選曲注文装置。
【請求項３】
前記店舗サーバから、前記一時ＩＤの無効化要求があったならば、記憶していた該一時ＩＤを削除し、
前記携帯端末からの前記選曲要求に含まれる一時ＩＤが記憶されていない場合には前記選曲のための処理は行わず、
前記携帯端末からの前記注文要求に含まれる一時ＩＤが記憶されていない場合には前記転送を行わない、
ことを特徴とする請求項２に記載の選曲注文装置。
【請求項４】
前記店舗サーバから、該店舗サーバへ接続するための接続用情報と共に、カラオケ演奏装置のＩＤも受信して記憶し、
前記携帯端末から配信を受ける楽曲の選曲要求があったならば前記選曲のための処理の少なくとも一部を前記カラオケ演奏装置のＩＤに対応するカラオケ演奏装置に対して行うことを特徴とする請求項１乃至３の何れか１項に記載の選曲注文装置。
【請求項５】
前記店舗サーバは、それぞれ異なる店舗に設置されたそれぞれ提供する店舗内サービスが異なる複数の店舗サーバの内の何れの店舗サーバであってもよいことを特徴とする請求項１乃至４の何れか１項に記載の選曲注文装置。
【請求項６】
請求項１乃至５の何れか１項に記載の選曲注文装置と、前記店舗サーバとを備えた選曲注文システムであって、
前記店舗サーバが、前記注文要求を前記選曲注文装置から転送された場合に、前記注文要求を送信した前記携帯端末と通信接続し、該通信接続により前記携帯端末との間で注文のための処理を行うことを特徴とする選曲注文システム。
【請求項７】
請求項１乃至５の何れか１項に記載の選曲注文装置と、前記店舗サーバと、前記携帯端末とを備えた選曲注文システムであって、
前記店舗サーバが、自店舗サーバへ接続するための接続用情報を前記選曲注文装置に送信した場合に、返信として一時ＩＤを受信し、該受信した一時ＩＤを前記携帯端末に通知し、
前記携帯端末が、前記選曲要求及び前記注文要求に前記通知された一時ＩＤを含ませることを特徴とする選曲注文システム。
【請求項８】
前記携帯端末への前記一時ＩＤの通知は紙媒体を介して行われることを特徴とする請求項７に記載の選曲注文システム。
【請求項９】
利用客が所有する携帯端末からネットワークを介して接続可能な楽曲配信システムに含まれる選曲注文装置と、前記利用客が楽曲の配信を受ける店舗で店舗内サービスを提供する店舗サーバとを備えた選曲注文システムが行う選曲注文方法であって、
前記選曲注文装置が、前記店舗サーバから、該店舗サーバへ接続するための接続用情報を受信して記憶するステップと、
前記選曲注文装置が、前記携帯端末から配信を受ける楽曲の選曲要求があったならば選曲のための処理を行う一方で、前記携帯端末から店舗内サービスの注文要求があったならば前記記憶している接続用情報を用いて前記注文要求を前記店舗サーバに転送するステップと、
前記店舗サーバが、前記注文要求を前記選曲注文サーバから転送された場合に、前記注文要求を送信した前記携帯端末と通信接続し、該通信接続により前記携端末との間で注文のための処理を行うステップとを有することを特徴とする選曲注文方法。
【請求項１０】
利用客が所有する携帯端末からネットワークを介して接続可能な楽曲配信システムに含まれる選曲注文装置としてコンピュータを機能させる選曲注文プログラムであって、
前記利用客が楽曲の配信を受ける店舗で店舗内サービスを提供する店舗サーバから、該店舗サーバへ接続するための接続用情報を受信して記憶し、
前記携帯端末から配信を受ける楽曲の選曲要求があったならば選曲のための処理を行う一方で、前記携帯端末から店舗内サービスの注文要求があったならば前記記憶している接続用情報を用いて前記注文要求を前記店舗サーバに転送する選曲注文装置としてコンピュータを機能させることを特徴とする選曲注文プログラム。
【発明の詳細な説明】
【技術分野】
【０００１】
本発明は、選曲及び注文に関する処理を行うための、選曲注文システム、選曲注文装置、選曲注文方法、及び、選曲注文プログラムに関する。
【背景技術】
【０００２】
現在、カラオケは広く普及しており、これに伴い、客室にカラオケ演奏機器を設置すると共に、飲み物や食事の提供を行うカラオケ店舗も多く存在する。このようなカラオケ店舗では、利用客は、各客室に備え付けの楽曲カタログと携帯型選曲装置（以下、適宜「リモコン」と呼ぶ。）を使用して楽曲を検索し、赤外線等の近接無線通信技術を使って親機であるカラオケ演奏装置に選択した楽曲番号を送信することで選曲予約を行うことが一般的である。
【０００３】
しかしながら、楽曲カタログやリモコンは客室ごとに、1セットないし2セット程度しか用意されていないことが通常である。そのため、一室での利用客が多い場合には、楽曲カタログやリモコンの順番待ちが発生してしまう。
【０００４】
この点に鑑みて、近年、利用客の所有物である携帯電話機等の携帯端末を利用して選曲予約を行うという方法がいくつか提案されている。以下、これら提案されている方法について説明をする。なお、説明の前提として、以下では、カラオケの楽曲を配信するためのシステムを「配信系システム」と呼ぶ。一方で、カラオケ店舗に構築され、配信系システムから通信により楽曲の配信を受けるシステムを「店舗系システム」と呼ぶ。
【０００５】
なお、これに加えて、店舗系システムが設置されたカラオケ店舗には、飲み物や食事の提供といった店舗内サービスを注文するための機器も設置される。例えば、注文を行うために、利用客が利用する客室と、店員が待機する店舗の受け付けや調理場とを接続する内線電話機が設置される。
【０００６】
まず、特許文献１及び特許文献２にて、利用客が所有する携帯電話機から、インターネットを介して選曲予約する方法が提案されている。かかる特許文献１及び特許文献２が提案する方法によれば、主に配信系システム側の仕組みを利用して、携帯電話機にリモコンと同等の機能を持たせることを可能としている。
【０００７】
また特許文献３、特許文献４、及び特許文献５では、店舗系システムと配信系システムを統合して１つのシステムとし、選曲予約と店舗内サービスの注文を統合後の１つのシステム内で実現する方法を提案している。
【先行技術文献】
【特許文献】
【０００８】
【特許文献１】特許第５６２９２３２号明細書
【特許文献２】特許第５６２９２３３号明細書
【特許文献３】特開２００１−２３６０８２号公報
【特許文献４】特開２００４−３３４０６６号公報
【特許文献５】特開２００６−０１０７２０号公報
【発明の概要】
【発明が解決しようとする課題】
【０００９】
しかしながら、上述した特許文献１や特許文献２で提案の方法には、利用客の所有する携帯電話機では店舗内サービスの注文を行うことはできないという課題があった。また、上述した特許文献３から特許文献５までの各特許文献で提案の方法は、通信カラオケの業態にそぐわないため導入が難しいといった課題があった。これらの課題について以下説明をする。
【００１０】
まず、特許文献１及び特許文献２に記載の方法では、利用客の携帯電話機等をリモコンとして利用可能とすることはできるが、この方法は配信系システムと店舗系システムとの統合を行うものではない。そのため、携帯電話機を利用して店舗内サービスを利用するためには、選曲をするための方法とは全く別の方法で携帯電話機から店舗系システム内の店舗系サーバに接続する方法を別途用意する必要がある。そして、このような方法を別途用意しないのであれば、従来の通り携帯電話機を利用せずに客室備え付けの内線電話機を利用しなければならない。従って、特許文献１や特許文献２で提案の方法を単に利用するのみでは、店舗内サービスを利用する利用客の利便性は低いままである。
【００１１】
一方で、特許文献３、特許文献４、及び特許文献５にて提案されている方法では、店舗系システムと配信系システムを統合して１つのシステムとすることができる。そのため、１つのシステム内で店舗内サービスの利用を可能とすることもできる。もっとも、この方法では、このような統合を行うために、客室管理、選曲、楽曲の配信、及び店舗内サービスまでを一貫した１つのシステムとして実現することを前提としている。
【００１２】
この点、通信カラオケ業態では、配信サービス会社と店舗運営会社が分業していることが一般的である。そして、配信系システムは、通常楽曲配信サービス会社が構築する。一方で、店舗系システムは、店舗運営会社が構築する。つまり、各システムを構築する主体がそもそも異なることが一般的である。そして、同じ配信サービス会社の配信系システムを利用するカラオケ店舗であっても、店舗運営会社ごと、あるいは店舗ごとに、提供するサービスの内容や、その価格は異なっている。
【００１３】
つまり、配信系システムと店舗系システムの依存性が低く、全ての店舗運営会社について、客室管理、選曲、楽曲の配信、及び店舗内サービスまでを一貫したシステムとして実現することは現実的ではなかった。すなわち、特許文献３、特許文献４、及び特許文献５にて提案されている方法は、通信カラオケの業態にそぐわなかった。
【００１４】
そこで本発明は、より簡易な仕組みで、利用客の所有する携帯端末から選曲や店舗内サービスの注文を行うことを可能とする、選曲注文システム、選曲注文装置、選曲注文方法、及び選曲注文プログラムを提供することを目的とする。
【課題を解決するための手段】
【００１５】
本発明の第１の観点によれば、利用客が所有する携帯端末からネットワークを介して接続可能な楽曲配信システムに含まれる選曲注文装置であって、前記利用客が楽曲の配信を受ける店舗で店舗内サービスを提供する店舗サーバから、該店舗サーバへ接続するための接続用情報を受信して記憶し、前記携帯端末から配信を受ける楽曲の選曲要求があったならば選曲のための処理を行う一方で、前記携帯端末から店舗内サービスの注文要求があったならば前記記憶している接続用情報を用いて前記注文要求を前記店舗サーバに転送することを特徴とする選曲注文装置が提供される。
【００１６】
本発明の第２の観点によれば、上記本発明の第１の観点による選曲注文装置と、前記店舗サーバとを備えた選曲注文システムであって、前記店舗サーバが、前記注文要求を前記選曲注文装置から転送された場合に、前記注文要求を送信した前記携帯端末と通信接続し、該通信接続により前記携帯端末との間で注文のための処理を行うことを特徴とする選曲注文システムが提供される。
【００１７】
本発明の第３の観点によれば、上記本発明の第１の観点による選曲注文装置と、前記店舗サーバと、前記携帯端末とを備えた選曲注文システムであって、前記店舗サーバが、自店舗サーバへ接続するための接続用情報を前記選曲注文装置に送信した場合に、返信として一時ＩＤを受信し、該受信した一時ＩＤを前記携帯端末に通知し、前記携帯端末が、前記選曲要求及び前記注文要求に前記通知された一時ＩＤを含ませることを特徴とする選曲注文システムが提供される。
【００１８】
本発明の第４の観点によれば、利用客が所有する携帯端末からネットワークを介して接続可能な楽曲配信システムに含まれる選曲注文装置と、前記利用客が楽曲の配信を受ける店舗で店舗内サービスを提供する店舗サーバとを備えた選曲注文システムが行う選曲注文方法であって、前記選曲注文装置が、前記店舗サーバから、該店舗サーバへ接続するための接続用情報を受信して記憶するステップと、前記選曲注文装置が、前記携帯端末から配信を受ける楽曲の選曲要求があったならば選曲のための処理を行う一方で、前記携帯端末から店舗内サービスの注文要求があったならば前記記憶している接続用情報を用いて前記注文要求を前記店舗サーバに転送するステップと、前記店舗サーバが、前記注文要求を前記選曲注文サーバから転送された場合に、前記注文要求を送信した前記携帯端末と通信接続し、該通信接続により前記携端末との間で注文のための処理を行うステップとを有することを特徴とする選曲注文方法が提供される。
【００１９】
本発明の第５の観点によれば、利用客が所有する携帯端末からネットワークを介して接続可能な楽曲配信システムに含まれる選曲注文装置としてコンピュータを機能させる選曲注文プログラムであって、前記利用客が楽曲の配信を受ける店舗で店舗内サービスを提供する店舗サーバから、該店舗サーバへ接続するための接続用情報を受信して記憶し、前記携帯端末から配信を受ける楽曲の選曲要求があったならば選曲のための処理を行う一方で、前記携帯端末から店舗内サービスの注文要求があったならば前記記憶している接続用情報を用いて前記注文要求を前記店舗サーバに転送する選曲注文装置としてコンピュータを機能させることを特徴とする選曲注文プログラムが提供される。
【発明の効果】
【００２０】
本発明によれば、より簡易な仕組みで、利用客の所有する携帯端末から選曲や店舗内サービスの注文を行うことを可能とできる。
【図面の簡単な説明】
【００２１】
【図１】本発明の実施形態の基本的構成を表すブロック図である。
【図２】本発明の実施形態における店舗データベースに格納されている情報の一例を表す図である。
【図３】本発明の実施形態における選曲データベースに格納されている情報の一例を表す図である。
【図４】本発明の実施形態における基本的動作を表すシーケンス図である。
【発明を実施するための形態】
【００２２】
まず、本発明の実施形態の概略を説明する。本発明の実施形態は、概略、カラオケ店舗において、利用客の所有する携帯端末から選曲予約や、飲食物等の店舗内サービスの注文を可能にするというものである。より具体的には、本実施形態では、配信系システムと店舗系システムの依存性が低いシステム構成とすることで、通信カラオケの業態で導入しやすい仕組みを提案するとともに配信系システムから店舗系システムを呼び出せるようにすることで同じ仕組みを利用して利用客の携帯端末から選曲予約や店舗内サービスの注文を行うことを可能とする。
以上が本発明の実施形態の概略である。次に、本発明の実施形態について図面を参照して詳細に説明する。
【００２３】
＜実施形態の構成の説明＞
まず、本実施形態の構成について図１のブロック図を参照して説明をする。図１は、本実施形態の構成例を示す図である。
図１を参照すると、本実施形態のカラオケシステムである選曲注文システム１は、店舗系システム１０と、配信系システム２０とを含む。また、店舗系システム１０は、リモコン１１、カラオケ演奏装置１２、店舗データベース１３、店舗サーバ１４及び携帯電話機４０を含む。携帯電話機４０は、利用客が所有する携帯端末である。また、配信系システム２０は、配信サーバ２１、選曲サーバ２２、楽曲データベース２３、及び選曲データベース２４を含む。
【００２４】
ここで、店舗系システム１０は、店舗運営会社によりカラオケを提供するカラオケ店舗に構築されたシステムである。一方で、配信系システム２０は、楽曲配信サービス会社により構築されたシステムである。
【００２５】
これら２つのシステムは公衆通信網であるインターネット３０を介して通信可能に接続されている。より具体的には、これら２つのシステムに含まれる、カラオケ演奏装置１２、配信サーバ２１、選曲サーバ２２、及び店舗サーバ１４が、インターネット３０を介して相互に通信可能に接続される。また、カラオケ店舗の利用客の所有物である携帯電話機４０も、インターネット３０を介してこれら２つのシステムに接続される。インターネット３０は、他の通信網であってもよい。
【００２６】
なお、携帯電話機４０は、利用客の所有物であり、厳密には店舗系システム１０の一部ではないが、店舗系システム１０が設置された店舗で使用するものであるので、以下の説明では携帯電話機４０は店舗系システム１０の一部であるものとして説明を行う。
【００２７】
また、リモコン１１、カラオケ演奏装置１２、選曲サーバ２２、楽曲データベース２３、及び配信サーバ２１といった機器が備える、カラオケの配信を行うための基本的な機能は、公知の技術で実現することができる。そのため、以下の説明ではこれら公知の技術である基本的な機能については説明を省略し、特に本実施形態に特有の機能を実現するための構成及び処理について詳細に説明をする。
【００２８】
リモコン１１は、利用客がカラオケ店舗にて選曲処理を行い、赤外線通信等の近距離通信方式でカラオケ演奏装置１２に対して通信接続し、選曲予約を行うための携帯型の端末である。
【００２９】
カラオケ演奏装置１２は、カラオケ店舗に設置されており、インターネット３０を介して、選曲サーバ２２や配信サーバ２１と接続される。カラオケ演奏装置１２は、リモコン１１から選曲予約のための操作を受け付けると、選曲サーバ２２と通信することにより選曲予約の処理を行い、選曲された楽曲についての予約データを生成する。
【００３０】
また、詳細は後述するが、本実施形態では、リモコン１１を使用するのではなく、携帯電話機４０により選曲サーバ２２と通信して選曲予約を行うこともできる。この場合は、カラオケ演奏装置１２は、選曲された楽曲の予約データを選曲サーバ２２から受信する。この場合に、カラオケ演奏装置１２は、予約データを受信した旨を選曲サーバ２２に対して応答する。
【００３１】
そして、何れの場合であっても、カラオケ演奏装置１２は、予約された楽曲を演奏するタイミングになったならば、予約データに基づいて、配信サーバ２１に楽曲配信要求をする。そして、カラオケ演奏装置１２は、この要求に応じて配信サーバ２１から配信される楽曲データを受信し、受信した楽曲データを再生することにより楽曲を演奏する。この際、カラオケ演奏装置１２には、利用客の音声がマイクにより入力され、楽曲と共にスピーカから出力される。
【００３２】
なお、これらマイク及びスピーカについては図示を省略する。また、図１においてリモコン１１及びカラオケ演奏装置１２について、１つずつしか図示していないが、実際には、客室の数だけカラオケ演奏装置１２は設置されており、リモコン１１はカラオケ演奏装置１２それぞれに対して、少なくとも１つ以上設置されている。
【００３３】
店舗データベース１３は、店舗サーバ１４が店舗内の施設管理をするために用いる情報が格納されるデータベースである。店舗データベース１３は、店舗サーバ１４に接続されている。
【００３４】
かかる店舗データベース１３に格納される情報の一例を図２に示す。なお、図２に示す情報は、店舗サーバ１４により格納されると共に、更に店舗サーバ１４により利用や更新をされる。
【００３５】
図２を参照すると、店舗データベース１３には、「客室ＩＤ」、「利用状況」、「カラオケ演奏装置ＩＤ」及び「選曲用一時ＩＤ」といった店舗施設の管理に必要な情報が、客室毎に組となって格納されている。
【００３６】
ここで、「客室ＩＤ」は、客室を識別して管理するための識別子である。また、「利用状況」は、客室の利用状況を示す情報であり、使用中（すなわち、使用されている。）や、空き（すなわち、使用されていない。）といった情報が格納される。「カラオケ演奏装置ＩＤ」は、客室に設置されているカラオケ演奏装置１２を識別して管理するための識別子である。「選曲用一時ＩＤ」は、携帯電話機４０から選曲操作を行うために用いる識別子である。これらのＩＤは、例えば数字とアルファベットの組み合わせ等により実現される。
【００３７】
店舗サーバ１４は、カラオケ店舗内に設置され、利用客の入退店処理や精算処理、店舗内サービスの注文処理などといった店舗内の施設管理に関する処理を行う。店舗サーバ１４の機能は、独立したサーバ装置により実現されてもよいが、例えばＰＯＳ（point of sales）端末の１つの機能として実現されるようにしてもよい。店舗サーバ１４はインターネット３０を通じて選曲サーバ２２に接続し、特定のカラオケ演奏装置１２に対する携帯電話機４０を利用した選曲処理の有効化、無効化を要求する。また店舗サーバ１４は、携帯電話機４０からインターネット３０を通じて接続され、店舗内サービスの注文に関する処理を行う。
【００３８】
携帯電話機４０は、利用客が所持するインターネット３０に接続可能な装置であり、例えば、汎用の携帯電話機や、汎用のスマートフォンに、本実施形態のためのアプリケーションソフトウェアをインストールすることにより実現できる。携帯電話機４０は、インターネット３０を介して選曲サーバ２２と接続し、選曲サーバ２２に対して利用客による選曲予約操作に基づいた選曲要求を行う。またインターネット３０及び選曲サーバ２２を介して店舗サーバ１４と接続し、店舗サーバ１４に対して利用客による店舗内サービス注文操作に基づいた店舗内サービス注文要求を行う。なお、図１には、複数の利用客の携帯電話機４０それぞれが同じ店舗内で利用できることを表すために、携帯電話機４０−１〜携帯電話機４０−ｎ（ｎは２以上の自然数）を図示する。
【００３９】
配信サーバ２１は、インターネット３０を介したカラオケ演奏装置１２からの楽曲配信要求に応じて、楽曲データベース２３から楽曲配信要求に対応する楽曲の楽曲データを取得し、取得した楽曲データをカラオケ演奏装置１２に対して配信する。
【００４０】
選曲サーバ２２は、インターネット３０を介してカラオケ演奏装置１２、店舗サーバ１４、及び携帯電話機４０のそれぞれと接続されている。
選曲サーバ２２は、カラオケ演奏装置１２や携帯電話機４０からの選曲要求に応じて、楽曲データベース２３に格納されている楽曲データを参照しつつ選曲要求に基づいた選曲予約処理を行う。
【００４１】
具体的には、リモコン１１からカラオケ演奏装置１２及びインターネット３０を介して、あるいは携帯電話機４０からインターネット３０を介して、選曲予約を受け付けて選曲予約処理を行う。例えば前者の場合には、リモコン１１から選曲予約のための操作を受け付けたカラオケ演奏装置１２と通信することにより、選曲された楽曲についての予約データをカラオケ演奏装置１２に生成させる。また、後者の場合には、携帯電話機４０から選曲予約を受け付けたならば、楽曲データベース２３の楽曲データを利用客が選曲するためのユーザインタフェースを、携帯電話機４０に提供し、このユーザインタフェース上などで利用客に選曲された楽曲の予約データを生成して、生成した予約データをカラオケ演奏装置１２に対して送信する。
更に、選曲サーバ２２は、携帯電話機４０からの店舗内サービスの注文要求があった場合に、この注文要求を店舗サーバ１４に対して転送する。
【００４２】
楽曲データベース２３は、配信をするための楽曲データや、楽曲の選曲処理に必要な楽曲の一覧データ等を格納するデータベースである。楽曲データベース２３は、配信サーバ２１及び選曲サーバ２２と接続されている。そして、楽曲データベース２３は、自身に格納されている楽曲データ等を配信サーバ２１に提供する。また、楽曲データベース２３は、楽曲の選曲処理に必要な楽曲の一覧データ等を、選曲サーバ２２に対して提供する。
【００４３】
選曲データベース２４は、選曲サーバ２２と接続されており、カラオケ演奏装置１２や携帯電話機４０からの選曲要求に基づいた選曲予約処理を行うための情報や、携帯電話機４０から受け付けた注文要求を店舗サーバ１４に対して転送するための情報が格納されているデータベースである。
【００４４】
かかる選曲データベース２４に格納される情報の一例を図３に示す。なお、図３に示す情報は、選曲サーバ２４により格納されると共に、更に選曲サーバ２４により利用や更新をされる。
【００４５】
図３を参照すると選曲データベース２４には、「カラオケ演奏装置ＩＤ」、「選曲用一時ＩＤ」及び「店舗固有情報」といった情報が、カラオケ演奏装置１２毎に組となって格納されている。
【００４６】
「カラオケ演奏装置ＩＤ」は、客室に設置されているカラオケ演奏装置１２を識別するための識別子である。「選曲用一時ＩＤ」は、携帯電話機４０から選曲操作を行うために用いる識別子である。これら２つのＩＤは、図２に示した店舗データベース１３に格納されている同名のＩＤと同じものである。
「店舗固有情報」は、店舗内サービスの注文処理をするための接続用情報であり、具体的には、例えば店舗サーバ１４のＵＲＬである。
【００４７】
また、使用が終了したカラオケ演奏装置１２については、店舗サーバ１４から選曲無効化要求を受け付けることとなり、この場合には、選曲用一時ＩＤ及び店舗固有情報は削除され、ブランクとなる。
【００４８】
以上説明した本実施形態に含まれる各サーバの処理は、各サーバにそれぞれ含まれる制御部により実現される。ここで制御部は、自制御部が含まれるサーバ内の各機能ブロックの動作を制御する部分である。具体的には、制御部は、ＣＰＵ（Central Processing Unit）等の演算処理装置と、記憶装置とにより実現される。ここで、記憶装置とは、例えば、ＯＳ（Operating System）や各種の制御用プログラムを格納したＲＯＭ（Read Only Memory）やＨＤＤ（Hard disk drive）、ＣＰＵがプログラムを実行する上で一時的に必要とされるデータを格納するためのＲＡＭ（Random Access Memory）等により実現される。
【００４９】
そして、制御部では、ＣＰＵがＲＯＭからＯＳや各種制御用プログラムを読み込み、読み込んだＯＳや制御用プログラムをＲＡＭに展開させながら、これらのＯＳや各種制御用プログラムに基づいた演算処理を行なう。そして、制御部が、演算結果に基づいて自制御部が含まれるサーバ内のハードウェアを制御することにより、自制御部が含まれるサーバの機能は実現される。つまり、各サーバのそれぞれは、ハードウェアとソフトウェアが協働することにより実現することができる。
【００５０】
＜実施形態の動作の説明＞
次に、上述した図１から図３に加えて、図４のシーケンス図を参照して本実施形態が行う処理について詳細に説明する。
【００５１】
以下の説明では、本実施形態が行う処理を大きく４つの処理に分けて説明をする。具体的には、（Ａ）店舗入店時の処理、（Ｂ）選曲処理、（Ｃ）店舗内サービス注文処理、及び（Ｄ）店舗退店時処理、の４つの処理に分けて説明をする。これは、利用客がカラオケ店舗に来店してから、利用客がカラオケ店舗から退店するまでに行われる処理である。
まず、（Ａ）店舗入店時の処理について、図４のステップＡ１からステップＡ３までを参照して説明する。
【００５２】
利用客がカラオケ店舗に入店すると、店員は店舗サーバ１４を操作し、利用客のために客室の割り当てを行う。そのために、店舗サーバ１４は、店舗内データベース１３を参照して、利用状況が「空き」の客室ＩＤを抽出して、店員に対して表示する。店員は、抽出された客室ＩＤの何れかを選択することにより、入店した利用客に客室を割り当てる。この場合に、店舗サーバ１４は、かかる客室ＩＤの利用状況を「利用中」に変更する。
【００５３】
また、店舗サーバ１４は、店舗内データベース１３を更に参照して、割り当てられた客室ＩＤに対応する客室に設置されているカラオケ演奏装置１２のカラオケ演奏装置ＩＤを抽出する。そして、店舗サーバ１４は抽出した特定したカラオケ演奏装置ＩＤと、店舗固有情報とを含んだ選曲処理の有効化要求を選曲サーバ２２に対して送信する（ステップＡ１）。ここで、店舗固有情報は、図３を参照して説明したように店舗内サービスの注文処理をするための接続用情報である。
【００５４】
次に、選曲サーバ２２は、ステップＡ１にて送信されてきたカラオケ演奏装置ＩＤに対応するカラオケ演奏装置１２で選曲予約機能を利用するためのＩＤである「選曲用一時ＩＤ」の払い出しを行う。ここで、選曲用一時ＩＤは、例えば、数字とアルファベットの組み合わせにより実現される。また、選曲用一時ＩＤは、任意の方法で払い出すことができる。例えば、一定の法則に基づいて算出される数字とアルファベットの組み合わせを払い出してもよいし、ランダムな数字とアルファベットの組み合わせを払い出してもよい。
【００５５】
そして、選曲サーバ２２は、ステップＡ１にて送信されてきたカラオケ演奏装置ＩＤ及び店舗内サービス要求用の接続用情報と、払い出した選曲用一時ＩＤの３つの情報を組にして選曲データベース２４に格納する。これにより図３を参照して説明したような状態で各情報が格納される。また、選曲サーバ２２は、払い出した選曲用一時ＩＤを、店舗サーバ１４へ送信する（ステップＡ２）。
【００５６】
選曲サーバ２２から払い出された選曲用一時ＩＤを受信した店舗サーバ１４は、受信した選曲用一時ＩＤを、ステップＡ１にて送信したカラオケ演奏装置ＩＤに対応する客室ＩＤと組にして店舗内データベース１３に格納する。これにより図２を参照して説明したような状態で各情報が格納される。
【００５７】
更に店舗サーバ１４は、受信した選曲用一時ＩＤを印刷した伝票を発行する。この際に、伝票に印刷する選曲用一時ＩＤは、利用客が認識可能な文字列でもよい。ただし、利用客が携帯電話機４０を利用するために、かかる文字列の入力をする必要が生じるので、選曲用一時ＩＤを、例えば二次元バーコード等で伝票に印刷するとよい。このようにすれば、利用客が、携帯電話機４０で選曲用一時ＩＤを容易に読み込めるのでよい。
【００５８】
何れにしても、店員は、選曲用一時ＩＤが印刷された伝票を、客室の鍵などの機材と共に利用客に手渡す。伝票や機材を受け取った利用客は、自身に割り当てられた客室に移動する。そして、利用客が伝票にかかる印刷された選曲用一時ＩＤを携帯電話機４０にキー入力、又は二次元バーコードであれば読み取って入力などすることにより、携帯電話機４０へ選曲用一時ＩＤが通知される（ステップＡ３）。店舗サーバ１４と携帯電話機４０の双方が、赤外線通信などの近距離無線通信機能を備え、店舗サーバ１４から携帯電話機４０へ、近距離無線通信で選曲用一時ＩＤを通知するものであってもよい。
【００５９】
以上で携帯電話機４０を利用した、楽曲の選曲や店舗内サービスの注文のための準備が整ったこととなる。これにより、（Ａ）店舗入店時の処理は終了する。
次に、（Ｂ）選曲処理について図４のステップＢ１からＢ７までを参照して説明する。
【００６０】
ここで、ステップＡ３の説明時に述べたように、利用客が伝票に印刷された選曲用一時ＩＤを携帯電話機４０にキー入力、又は二次元バーコードであれば読み取って入力などすることにより、選曲前に、携帯電話機４０に選曲用一時ＩＤが通知されている。
【００６１】
そして、利用客は携帯電話機４０を利用してインターネット３０を介して選曲サーバ２２に接続し、選曲操作を行うために選曲要求を行う。この場合に、携帯電話機４０は、通知されている選曲用一時ＩＤを選曲要求に含めて選曲サーバ２２に送信する（ステップＢ１）。
【００６２】
選曲サーバ２２は、携帯電話機４０から受信した選曲用一時ＩＤが選曲データベース２４に登録されているか否かを、選曲データベース２４を検索することにより確認する。そして、選曲データベース２４に、受信した選曲用一時ＩＤと、一致するＩＤが登録されていれば携帯電話機４０に対して肯定応答をし、選曲操作を許可する（ステップＢ２）。
【００６３】
一方で、携帯電話機４０から受信した選曲用一時ＩＤが選曲データベース２４に登録されていない場合は、正規のアクセスではないと判断し、携帯電話機４０に対して否定応答を行い、選曲操作を禁止する（ステップＢ２）。この場合には、例えば、利用客による選曲用一時ＩＤの誤入力等があったと考えられるので、その旨を否定応答に含め、これを受信した携帯電話機４０が、その旨を表示部などに表示することにより、利用客に選曲用一時ＩＤの再入力等を促すようにしてもよい。
【００６４】
ステップＢ２で選曲操作が許可された場合は、携帯電話機４０は選曲サーバ２２と通信を行い、選曲処理を行う（ステップＢ３）。選曲処理は、例えば、楽曲データベース２３に格納されている楽曲の楽曲名一覧を、選曲サーバ２２から携帯電話機４０に送信し、携帯電話機４０が受信した楽曲名の一覧を所定のユーザインタフェースと共に表示し、携帯電話機４０が利用客によるこのユーザインタフェース上での楽曲の選択を受け付け、携帯電話機４０が利用客に選択された楽曲を選曲サーバ２２に送信することにより実現できる。
このようにして利用客が選曲を完了した場合は、携帯電話機４０から選曲サーバ２２に対して選曲確定要求を送信する（ステップＢ４）。
【００６５】
選曲確定要求を受信した選曲サーバ２２は、選曲が確定した楽曲についての予約データを生成する。そして、選曲サーバ２２は、選曲データベース２４を検索することにより、ステップＢ１で受信した選曲用一時ＩＤと組になっているカラオケ演奏装置ＩＤを抽出し、この抽出したカラオケ演奏装置ＩＤに対応するカラオケ演奏装置１２に対して、生成した予約データを送信することにより選曲予約要求をする（ステップＢ５）。
【００６６】
カラオケ演奏装置１２は選曲サーバ２２から送信された予約データを受信したならば、予約データを受信した旨を、選曲サーバ２２に対して応答する（ステップＢ６）。なお、一般的な処理のため図４への図示は省略するが、その後カラオケ演奏装置１２は予約された楽曲を演奏するタイミングになったならば、予約データに基づいて、配信サーバ２１に楽曲配信要求をし、これに応じて配信サーバ２１から配信される楽曲データを再生することにより楽曲を演奏する。
【００６７】
一方、ステップＢ６における、予約データを受信した旨の応答をカラオケ演奏装置１２から受け取った選曲サーバ２２は、楽曲の予約が完了した旨を携帯電話機４０に応答する（ステップＢ７）。これにより（Ｂ）選曲処理、は終了する。なお、利用客が更に他の楽曲を選曲するための選曲操作を行う場合はステップＢ１からの処理を繰り返す。
【００６８】
次に、（Ｃ）店舗内サービス注文処理について、図４のステップＣ１からＣ４までを参照して説明をする。ここで、ステップＡ３の説明時に述べたように、利用客が伝票に印刷された選曲用一時ＩＤを携帯電話機４０にキー入力、又は二次元バーコードであれば読み取って入力などすることにより、選曲前に、携帯電話機４０に選曲用一時ＩＤが通知されている。
【００６９】
本実施形態では、選曲サーバ２２が提供するメニューとして、上述の（Ｂ）選曲処理として説明した選曲を受け付ける機能に加えて、店舗内サービス呼び出し機能がある。そして、利用客が店舗内サービスを注文したい場合は、利用客の操作に応じて携帯電話機４０がインターネット３０を介して選曲サーバ２２に接続し、選曲サーバ２２に対して店舗内サービス呼出機能要求をする（ステップＣ１）。この場合に、携帯電話機４０は、ステップＢ１と同様に、通知されている選曲用一時ＩＤを店舗内サービス呼出機能要求に含めて選曲サーバ２２に送信する。
【００７０】
選曲サーバ２２は、ステップＢ２と同様に、携帯電話機４０から受信した選曲用一時ＩＤが選曲データベース２４に登録されているか否かを、選曲データベース２４を検索することにより確認する。
【００７１】
そして、選曲データベース２４に、受信した選曲用一時ＩＤと、一致するＩＤが登録されていれば、この一致した選曲用一時ＩＤと組になっている店舗固有情報を抽出する。そして、この抽出した店舗固有情報を利用して、携帯電話機４０からの店舗内サービス呼出機能要求を店舗サーバ１４に対して転送する（ステップＣ２）。また、かかる転送する店舗内サービス呼出機能要求には、携帯電話機４０と店舗サーバ１４が通信を行うことができるように、携帯電話機４０の固有情報を含ませる。携帯電話機４０の固有情報とは、例えば携帯電話機４０に割り当てられているＩＰアドレスである。更に、転送する店舗内サービス呼出機能要求には、店舗サーバ１４が、携帯電話機４０が利用している客室を特定できるように、ステップＣ１において受信した、選曲用一時ＩＤも含ませる。
【００７２】
一方で、携帯電話機４０から受信した選曲用一時ＩＤが選曲データベース２４に登録されていない場合は、正規のアクセスではないと判断し、携帯電話機４０に対して否定応答（図示を省略する。）を行い、店舗内サービス呼出機能の利用を禁止する。この場合には、例えば、利用客による選曲用一時ＩＤの誤入力等があったと考えられるので、その旨を否定応答に含め、これを受信した携帯電話機４０が、その旨を表示部などに表示することにより、利用客に選曲用一時ＩＤの再入力等を促すようにしてもよい。
【００７３】
店舗サーバ１４は、選曲サーバ２２から転送された店舗内サービス呼出機能要求と、これに含まれる携帯電話機４０の固有情報とに基づいて、携帯電話機４０に対して店舗内サービスを注文するための操作が可能となった旨の応答を行う（ステップＣ３）。
【００７４】
その後、利用客は携帯電話機４０を利用して引き続き店舗サーバ１４へ接続し、携帯電話機４０を操作して飲食物等の提供といった店舗内サービスを注文するための注文操作を行う。かかる注文操作を行うために、店舗サーバ１４と携帯電話機４０との間で注文処理を行う。
【００７５】
例えば、店舗サーバ１４が設置されている店舗で提供する店舗内サービスの一覧を、店舗サーバ１４から携帯電話機４０に送信し、携帯電話機４０が受信した店舗内サービスの一覧を所定のユーザインタフェースと共に表示し、携帯電話機４０が利用客によるこのユーザインタフェース上での店舗内サービスの選択を受け付け、携帯電話機４０が利用客に選択された店舗内サービスを店舗サーバ１４に送信して注文することにより実現できる。この時、店舗サーバ１４は、店舗データベース１３を検索し、選曲サーバ２２から転送された店舗内サービス呼出機能要求に含まれる選曲用一時ＩＤと組になっている客室ＩＤを抽出する。これにより、注文を処理すべき客室を特定することができる。注文を処理すべき客室とは、例えば、飲食物の提供先とする客室である。
【００７６】
以上説明した処理により、（Ｃ）店舗内サービス注文処理、は終了する。かかる処理により、利用客は、自身が所有する携帯電話機４０により、楽曲の選曲を行うことができると共に、店舗内サービスの注文も行うことができる。
【００７７】
最後に（Ｄ）退店時処理について図４のステップＤ１からＤ２までを参照して説明をする。
利用客は客室の利用時間が過ぎると客室から退出し、店舗のフロントで精算処理を行う。この際に店舗サーバ１４は選曲サーバ２２に対して、ステップＡ１において送信した選曲用一時ＩＤを再度送信して選曲無効化要求を行う（ステップＤ１）。
【００７８】
選曲サーバ２２は受信した選曲用一時ＩＤを、選曲データベース２４から削除し、店舗サーバ１４に対して、削除が完了した旨を応答する（ステップＤ２）。このように削除を行うため、利用客の退店後に、利用客が、入店中に利用していた選曲用一時ＩＤを再度利用して選曲サーバ２２に接続しようとしても、既に選曲用一時ＩＤが無効になっているため接続は拒否される。そのため、退店後の不正な使用を防止することが可能となる。
【００７９】
以上説明した本実施形態は、少なくとも以下に記載するような効果を奏する。
第１の効果は、各客室に備え付けの楽曲カタログやリモコンの数が、利用客の人数より少ない場合であっても、利用客が待たされることなく好きな時に選曲予約や店舗内サービスの注文を行うことができることである。
【００８０】
その理由は、本実施形態では図４に示したような処理を行うことから、各利用客は、自分が所有する携帯電話機を使って選曲予約や店舗内サービスの注文を行うことができるためである。
【００８１】
第２の効果は、店舗への導入が容易な構成であることである。
その理由は、配信系システムと店舗系システムの依存性が低いためである。この点についてより詳細に説明をする。通信カラオケでは楽曲配信サービス会社と店舗運営会社が別々であることが一般的であり、楽曲の選択、配信に関するサービスと飲食物などの店舗内サービスとは独立しているため店舗ごとに固有のサービスを楽曲配信サービス会社が提供することは困難である。しかしながら、本実施形態では店舗内サービスに関する注文は配信系システムから店舗系システムに転送される仕組みを実現する。そして、それ以外の構成は、柔軟に変更することができる。例えば、提供するサービスの具体的内容等は、店舗運営会社が自由に決定することができる。そのため、本実施形態は、第２の効果として上述したように、楽曲配信サービス会社と店舗運営会社が別々という業態であったとしても、店舗への導入が容易となるという効果を奏する。
【００８２】
なお、上記の選曲注文システムに含まれる各装置のそれぞれは、ハードウェア、ソフトウェア又はこれらの組み合わせにより実現することができる。また、上記の選曲注文システムに含まれる各装置のそれぞれにより行なわれる選曲注文方法も、ハードウェア、ソフトウェア又はこれらの組み合わせにより実現することができる。ここで、ソフトウェアによって実現されるとは、コンピュータがプログラムを読み込んで実行することにより実現されることを意味する。
【００８３】
プログラムは、様々なタイプの非一時的なコンピュータ可読媒体(non-transitory computer readable medium)を用いて格納され、コンピュータに供給することができる。非一時的なコンピュータ可読媒体は、様々なタイプの実体のある記録媒体(tangible storage medium)を含む。非一時的なコンピュータ可読媒体の例は、磁気記録媒体（例えば、フレキシブルディスク、磁気テープ、ハードディスクドライブ）、光磁気記録媒体（例えば、光磁気ディスク）、ＣＤ−ＲＯＭ(Read Only Memory)、ＣＤ−Ｒ、ＣＤ−Ｒ／Ｗ、半導体メモリ（例えば、マスクＲＯＭ、ＰＲＯＭ(Programmable ROM)、ＥＰＲＯＭ(Erasable PROM)、フラッシュＲＯＭ、ＲＡＭ(random access memory）)を含む。また、プログラムは、様々なタイプの一時的なコンピュータ可読媒体(transitory computer readable medium)によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００８４】
また、上述した実施形態は、本発明の好適な実施形態ではあるが、上記実施形態のみに本発明の範囲を限定するものではなく、本発明の要旨を逸脱しない範囲において種々の変更を施した形態での実施が可能である。
【００８５】
例えば、上述の図４を参照した説明では、説明の便宜上、（Ｂ）選曲処理が行われた後に（Ｃ）店舗内サービス注文処理が行われるものとして説明したが、実際にはどちらが先に行われてもよい。また、これら各処理が複数回繰り返し行われてもよく、これら複数の処理が交互に行われてもよい。
【００８６】
また、ステップＢ１では選曲要求が送信され、ステップＣ１で店舗内サービスのサービス呼出機能要求がなされるとして説明をした。このようにするのではなく、まず携帯電話機４０から、認証用に選曲用一時ＩＤを送信するようにしてもよい。この場合、選曲サーバ２２が、この選曲用一時ＩＤが選曲データベース２４に格納されていることから、正規のアクセスであると認証できたならば、携帯電話機４０にメニュー選択用のユーザインタフェースを送信するようにする。そして、利用客が、かかるユーザインタフェース上で、楽曲の選曲操作を行うのか、店舗内サービスの注文操作を行うのかを選択できるようにするとよい。
【００８７】
上記の実施形態の一部又は全部は、以下の付記のようにも記載されうるが、以下には限られない。
【００８８】
（付記１）  利用客が所有する携帯端末からネットワークを介して接続可能な楽曲配信システムに含まれる選曲注文装置であって、
前記利用客が楽曲の配信を受ける店舗で店舗内サービスを提供する店舗サーバから、該店舗サーバへ接続するための接続用情報を受信して記憶し、
前記携帯端末から配信を受ける楽曲の選曲要求があったならば選曲のための処理を行う一方で、前記携帯端末から店舗内サービスの注文要求があったならば前記記憶している接続用情報を用いて前記注文要求を前記店舗サーバに転送することを特徴とする選曲注文装置。
【００８９】
（付記２）  前記店舗サーバから、該店舗サーバへ接続するための接続用情報を受信した場合に、前記店舗サーバに対して一時ＩＤを返信するとともに記憶し、
前記携帯端末からの前記選曲要求に含まれる一時ＩＤが前記店舗サーバに対して送信した一時ＩＤと合致しない場合には前記選曲のための処理は行わず、
前記携帯端末からの前記注文要求に含まれる一時ＩＤが前記店舗サーバに対して送信した一時ＩＤと合致しない場合には前記転送を行わない、
ことを特徴とする付記１に記載の選曲注文装置。
【００９０】
（付記３）  前記店舗サーバから、前記一時ＩＤの無効化要求があったならば、記憶していた該一時ＩＤを削除し、
前記携帯端末からの前記選曲要求に含まれる一時ＩＤが記憶されていない場合には前記選曲のための処理は行わず、
前記携帯端末からの前記注文要求に含まれる一時ＩＤが記憶されていない場合には前記転送を行わない、
ことを特徴とする付記２に記載の選曲注文装置。
【００９１】
（付記４）  前記店舗サーバから、該店舗サーバへ接続するための接続用情報と共に、カラオケ演奏装置のＩＤも受信して記憶し、
前記携帯端末から配信を受ける楽曲の選曲要求があったならば前記選曲のための処理の少なくとも一部を前記カラオケ演奏装置のＩＤに対応するカラオケ演奏装置に対して行うことを特徴とする付記１乃至３の何れか１に記載の選曲注文装置。
【００９２】
（付記５）  前記店舗サーバは、それぞれ異なる店舗に設置されたそれぞれ提供する店舗内サービスが異なる複数の店舗サーバの内の何れの店舗サーバであってもよいことを特徴とする付記１乃至４の何れか１に記載の選曲注文装置。
【００９３】
（付記６）  前記店舗サーバへ接続するための接続用情報とは、前記店舗サーバのＵＲＬであり、
前記携帯端末から店舗内サービスの注文要求があったならば前記記憶している店舗サーバのＵＲＬに前記携帯端末を接続することにより、前記注文要求を前記店舗サーバに転送することを特徴とする付記１乃至５の何れか１に記載の選曲注文装置
【００９４】
（付記７）  付記１乃至６の何れか１に記載の選曲注文装置と、前記店舗サーバとを備えた選曲注文システムであって、
前記店舗サーバが、前記注文要求を前記選曲注文装置から転送された場合に、前記注文要求を送信した前記携帯端末と通信接続し、該通信接続により前記携帯端末との間で注文のための処理を行うことを特徴とする選曲注文システム。
【００９５】
（付記８）  付記１乃至６の何れか１に記載の選曲注文装置と、前記店舗サーバと、前記携帯端末とを備えた選曲注文システムであって、
前記店舗サーバが、自店舗サーバへ接続するための接続用情報を前記選曲注文装置に送信した場合に、返信として一時ＩＤを受信し、該受信した一時ＩＤを前記携帯端末に通知し、
前記携帯端末が、前記選曲要求及び前記注文要求に前記通知された一時ＩＤを含ませることを特徴とする選曲注文システム。
（付記９）  前記携帯端末への前記一時ＩＤの通知は紙媒体を介して行われることを特徴とする付記８に記載の選曲注文システム。
【００９６】
（付記１０）  利用客が所有する携帯端末からネットワークを介して接続可能な楽曲配信システムに含まれる選曲注文装置と、前記利用客が楽曲の配信を受ける店舗で店舗内サービスを提供する店舗サーバとを備えた選曲注文システムが行う選曲注文方法であって、
前記選曲注文装置が、前記店舗サーバから、該店舗サーバへ接続するための接続用情報を受信して記憶するステップと、
前記選曲注文装置が、前記携帯端末から配信を受ける楽曲の選曲要求があったならば選曲のための処理を行う一方で、前記携帯端末から店舗内サービスの注文要求があったならば前記記憶している接続用情報を用いて前記注文要求を前記店舗サーバに転送するステップと、
前記店舗サーバが、前記注文要求を前記選曲注文サーバから転送された場合に、前記注文要求を送信した前記携帯端末と通信接続し、該通信接続により前記携端末との間で注文のための処理を行うステップとを有することを特徴とする選曲注文方法。
【００９７】
（付記１１）  利用客が所有する携帯端末からネットワークを介して接続可能な楽曲配信システムに含まれる選曲注文装置と、前記利用客が楽曲の配信を受ける店舗で店舗内サービスを提供する店舗サーバと前記携帯端末とを備えた選曲注文システムが行う選曲注文方法であって、
前記選曲注文装置が、前記店舗サーバから、該店舗サーバへ接続するための接続用情報を受信して記憶するステップと、
前記選曲注文装置が、前記携帯端末から配信を受ける楽曲の選曲要求があったならば選曲のための処理を行う一方で、前記携帯端末から店舗内サービスの注文要求があったならば前記記憶している接続用情報を用いて前記注文要求を前記店舗サーバに転送するステップと、
前記店舗サーバが、前記注文要求を前記選曲注文サーバから転送された場合に、前記注文要求を送信した前記携帯端末と通信接続し、該通信接続により前記携端末との間で注文のための処理を行うステップと、
前記店舗サーバが、自店舗サーバへ接続するための接続用情報を前記選曲注文装置に送信した場合に、返信として一時ＩＤを受信し、該受信した一時ＩＤを前記携帯端末に通知するステップと、
前記携帯端末が、前記選曲要求及び前記注文要求に前記通知された一時ＩＤを含ませるステップとを有することを特徴とする選曲注文方法。
【００９８】
（付記１２）  利用客が所有する携帯端末からネットワークを介して接続可能な楽曲配信システムに含まれる選曲注文装置としてコンピュータを機能させる選曲注文プログラムであって、
前記利用客が楽曲の配信を受ける店舗で店舗内サービスを提供する店舗サーバから、該店舗サーバへ接続するための接続用情報を受信して記憶し、
前記携帯端末から配信を受ける楽曲の選曲要求があったならば選曲のための処理を行う一方で、前記携帯端末から店舗内サービスの注文要求があったならば前記記憶している接続用情報を用いて前記注文要求を前記店舗サーバに転送する選曲注文装置としてコンピュータを機能させることを特徴とする選曲注文プログラム。
【符号の説明】
【００９９】
１  選曲注文システム
１０  店舗系システム
１１  リモコン
１２  カラオケ演奏装置
１３  店舗データベース
１４  店舗サーバ
２０  配信系システム
２１  配信サーバ
２２  選曲サーバ
２３  楽曲データベース
２４  選曲データベース
４０−１〜４０−ｎ  携帯電話機
【図１】
2018005601.tif 000003
【図２】
2018005601.tif 000004
【図３】
2018005601.tif 000005
【図４】
2018005601.tif 000006
【手続補正書】
【提出日】平成29年10月26日(2017.10.26)
【手続補正１】
【補正対象書類名】特許請求の範囲
【補正対象項目名】全文
【補正方法】変更
【補正の内容】
【特許請求の範囲】
【請求項１】
利用客が所有する携帯端末からネットワークを介して接続可能な楽曲配信システムに含まれる選曲注文装置であって、
前記利用客が楽曲の配信を受ける店舗で店舗内サービスを提供する店舗サーバから、該店舗サーバへ接続するための接続用情報を受信して記憶し、
前記携帯端末から、配信を受ける楽曲を要求する選曲要求、もしくは店舗内サービスの注文を要求する注文要求を受け付け、
前記携帯端末から前記選曲要求を受け付けた場合は選曲のための処理を行う一方で、前記携帯端末から前記注文要求を受け付けた場合は前記記憶している接続用情報を用いて前記注文要求を前記店舗サーバに転送することを特徴とする選曲注文装置。
【請求項２】
前記店舗サーバから、該店舗サーバへ接続するための接続用情報を受信した場合に、前記店舗サーバに対して一時ＩＤを返信するとともに記憶し、
前記携帯端末からの前記選曲要求に含まれる一時ＩＤが前記店舗サーバに対して送信した一時ＩＤと合致しない場合には前記選曲のための処理は行わず、
前記携帯端末からの前記注文要求に含まれる一時ＩＤが前記店舗サーバに対して送信した一時ＩＤと合致しない場合には前記転送を行わない、
ことを特徴とする請求項１に記載の選曲注文装置。
【請求項３】
前記店舗サーバから、前記一時ＩＤの無効化要求があったならば、記憶していた該一時ＩＤを削除し、
前記携帯端末からの前記選曲要求に含まれる一時ＩＤが記憶されていない場合には前記選曲のための処理は行わず、
前記携帯端末からの前記注文要求に含まれる一時ＩＤが記憶されていない場合には前記転送を行わない、
ことを特徴とする請求項２に記載の選曲注文装置。
【請求項４】
前記店舗サーバから、該店舗サーバへ接続するための接続用情報と共に、カラオケ演奏装置のＩＤも受信して記憶し、
前記携帯端末から配信を受ける楽曲の選曲要求があったならば前記選曲のための処理の少なくとも一部を前記カラオケ演奏装置のＩＤに対応するカラオケ演奏装置に対して行うことを特徴とする請求項１乃至３の何れか１項に記載の選曲注文装置。
【請求項５】
前記店舗サーバは、それぞれ異なる店舗に設置されたそれぞれ提供する店舗内サービスが異なる複数の店舗サーバの内の何れの店舗サーバであってもよいことを特徴とする請求項１乃至４の何れか１項に記載の選曲注文装置。
【請求項６】
請求項１乃至５の何れか１項に記載の選曲注文装置と、前記店舗サーバとを備えた選曲注文システムであって、
前記店舗サーバが、前記注文要求を前記選曲注文装置から転送された場合に、前記注文要求を送信した前記携帯端末と通信接続し、該通信接続により前記携帯端末との間で注文のための処理を行うことを特徴とする選曲注文システム。
【請求項７】
請求項１乃至５の何れか１項に記載の選曲注文装置と、前記店舗サーバと、前記携帯端末とを備えた選曲注文システムであって、
前記店舗サーバが、自店舗サーバへ接続するための接続用情報を前記選曲注文装置に送信した場合に、返信として一時ＩＤを受信し、該受信した一時ＩＤを前記携帯端末に通知し、
前記携帯端末が、前記選曲要求及び前記注文要求に前記通知された一時ＩＤを含ませることを特徴とする選曲注文システム。
【請求項８】
前記携帯端末への前記一時ＩＤの通知は紙媒体を介して行われることを特徴とする請求項７に記載の選曲注文システム。
【請求項９】
利用客が所有する携帯端末からネットワークを介して接続可能な楽曲配信システムに含まれる選曲注文装置と、前記利用客が楽曲の配信を受ける店舗で店舗内サービスを提供する店舗サーバとを備えた選曲注文システムが行う選曲注文方法であって、
前記選曲注文装置が、前記店舗サーバから、該店舗サーバへ接続するための接続用情報を受信して記憶するステップと、
前記選曲注文装置が、前記携帯端末から、配信を受ける楽曲を要求する選曲要求、もしくは店舗内サービスの注文を要求する注文要求を受け付けるステップと、
前記選曲注文装置が、前記携帯端末から前記選曲要求を受け付けた場合は選曲のための処理を行う一方で、前記携帯端末から前記注文要求を受け付けた場合は前記記憶している接続用情報を用いて前記注文要求を前記店舗サーバに転送するステップと、
前記店舗サーバが、前記注文要求を前記選曲注文装置から転送された場合に、前記注文要求を送信した前記携帯端末と通信接続し、該通信接続により前記携帯端末との間で注文のための処理を行うステップとを有することを特徴とする選曲注文方法。
【請求項１０】
利用客が所有する携帯端末からネットワークを介して接続可能な楽曲配信システムに含まれる選曲注文装置としてコンピュータを機能させる選曲注文プログラムであって、
前記利用客が楽曲の配信を受ける店舗で店舗内サービスを提供する店舗サーバから、該店舗サーバへ接続するための接続用情報を受信して記憶し、
前記携帯端末から、配信を受ける楽曲を要求する選曲要求、もしくは店舗内サービスの注文を要求する注文要求を受け付け、
前記携帯端末から前記選曲要求を受け付けた場合は選曲のための処理を行う一方で、前記携帯端末から前記注文要求を受け付けた場合は前記記憶している接続用情報を用いて前記注文要求を前記店舗サーバに転送する選曲注文装置としてコンピュータを機能させることを特徴とする選曲注文プログラム。
【手続補正２】
【補正対象書類名】明細書
【補正対象項目名】００１５
【補正方法】変更
【補正の内容】
【００１５】
本発明の第１の観点によれば、利用客が所有する携帯端末からネットワークを介して接続可能な楽曲配信システムに含まれる選曲注文装置であって、前記利用客が楽曲の配信を受ける店舗で店舗内サービスを提供する店舗サーバから、該店舗サーバへ接続するための接続用情報を受信して記憶し、前記携帯端末から、配信を受ける楽曲を要求する選曲要求、もしくは店舗内サービスの注文を要求する注文要求を受け付け、前記携帯端末から前記選曲要求を受け付けた場合は選曲のための処理を行う一方で、前記携帯端末から前記注文要求を受け付けた場合は前記記憶している接続用情報を用いて前記注文要求を前記店舗サーバに転送することを特徴とする選曲注文装置が提供される。
【手続補正３】
【補正対象書類名】明細書
【補正対象項目名】００１８
【補正方法】変更
【補正の内容】
【００１８】
本発明の第４の観点によれば、利用客が所有する携帯端末からネットワークを介して接続可能な楽曲配信システムに含まれる選曲注文装置と、前記利用客が楽曲の配信を受ける店舗で店舗内サービスを提供する店舗サーバとを備えた選曲注文システムが行う選曲注文方法であって、前記選曲注文装置が、前記店舗サーバから、該店舗サーバへ接続するための接続用情報を受信して記憶するステップと、前記選曲注文装置が、前記携帯端末から、配信を受ける楽曲を要求する選曲要求、もしくは店舗内サービスの注文を要求する注文要求を受け付けるステップと、前記選曲注文装置が、前記携帯端末から前記選曲要求を受け付けた場合は選曲のための処理を行う一方で、前記携帯端末から前記注文要求を受け付けた場合は前記記憶している接続用情報を用いて前記注文要求を前記店舗サーバに転送するステップと、前記店舗サーバが、前記注文要求を前記選曲注文装置から転送された場合に、前記注文要求を送信した前記携帯端末と通信接続し、該通信接続により前記携帯端末との間で注文のための処理を行うステップとを有することを特徴とする選曲注文方法が提供される。
【手続補正４】
【補正対象書類名】明細書
【補正対象項目名】００１９
【補正方法】変更
【補正の内容】
【００１９】
本発明の第５の観点によれば、利用客が所有する携帯端末からネットワークを介して接続可能な楽曲配信システムに含まれる選曲注文装置としてコンピュータを機能させる選曲注文プログラムであって、前記利用客が楽曲の配信を受ける店舗で店舗内サービスを提供する店舗サーバから、該店舗サーバへ接続するための接続用情報を受信して記憶し、前記携帯端末から、配信を受ける楽曲を要求する選曲要求、もしくは店舗内サービスの注文を要求する注文要求を受け付け、前記携帯端末から前記選曲要求を受け付けた場合は選曲のための処理を行う一方で、前記携帯端末から前記注文要求を受け付けた場合は前記記憶している接続用情報を用いて前記注文要求を前記店舗サーバに転送する選曲注文装置としてコンピュータを機能させることを特徴とする選曲注文プログラムが提供される。